(57)【特許請求の範囲】
【請求項１】
被写体を撮像する撮像素子と、前記撮像素子で撮像した被写体画像を表示する表示手段と、時間を計測する計測手段と、操作入力が所定時間なかったときに前記表示手段の表示動作を停止させるように制御する制御手段と、を有する撮像装置であって、
前記撮像装置の内部温度を検出する温度検出手段と、
前記温度検出手段によって検出された温度に応じて前記所定時間を変更する変更手段と、
使用者が前記所定時間を設定する時間設定手段と、
前記使用者が前記所定時間に変更するための温度を設定する温度設定手段と、
を備えたことを特徴とする撮像装置。
【請求項２】
前記制御手段は、前記表示手段の表示動作を停止させて所定の待機状態とするように制御することを特徴とする請求項１に記載の撮像装置。
【請求項３】
前記表示手段は、表示素子と、前記表示素子を照明するバックライト照明とを有するとともに、前記制御手段は、少なくとも前記バックライト照明の照明動作を停止させることを特徴とする請求項２に記載の撮像装置。
【請求項４】
画像を表示する表示手段を有する表示装置において、
前記表示装置に操作入力が所定時間なかったときに前記表示手段の表示動作を停止させるように制御する制御手段と、
前記表示装置本体を動作させるための電源を供給する電池と、
前記表示装置内部の温度を検出する温度検出手段と、
前記温度検出手段によって検出された温度に応じて前記所定時間を変更する変更手段と、
使用者が前記所定時間を設定するための設定手段と、
前記使用者が前記所定時間を変更するための温度を設定する温度設定手段と、
を備えたことを特徴とする表示装置。
【請求項５】
画像を表示する表示手段を有する表示装置において、
前記表示装置に操作入力が所定時間なかったときに前記表示手段の表示動作を停止させるように制御する制御手段と、
前記表示装置本体を動作させるための電源を供給する電池と、
前記電池の出力電圧を検出する電圧検出手段と、
前記電圧検出手段によって検出された前記電池の出力電圧に応じて前記所定時間を変更する変更手段と、
使用者が前記所定時間を設定するための設定手段と、
前記使用者が前記所定時間を変更するための前記電池の出力電圧を設定する電圧設定手段と、
を備えたことを特徴とする表示装置。
【請求項６】
被写体を撮像する撮像素子を備え、
前記表示手段は、前記撮像素子で撮像した被写体画像を表示することを特徴とする請求項４または５に記載の表示装置。
【請求項７】
前記制御手段は、前記表示手段の表示動作を停止させて所定の待機状態とするように制御することを特徴とする請求項４乃至６のいずれか１項に記載の表示装置。
【請求項８】
前記表示手段は、表示素子と、前記表示素子を照明するバックライト照明とを有するとともに、前記制御手段は、少なくとも前記バックライト照明の照明動作を停止させることを特徴とする請求項７に記載の表示装置。
【発明の詳細な説明】
【０００１】
【発明の属する技術分野】
本発明は、例えば撮影画像を随時表示可能なＬＣＤモニター装置（液晶表示器）装置等の表示手段を有した撮像装置及び表示装置に関するものである。
【０００２】
【従来の技術】
近年、被写体を撮影する撮影手段と、該撮影手段を通過した被写体像を撮像するために前記撮影手段の焦点位置に配置した撮像手段と、該撮像手段により撮像される被写体の画像信号を記録する記録手段と、画像を表示する表示手段とを具備したデジタルカメラにおいて、特にバックライト照明付きの大型液晶表示器を使用した、撮影画像を随時表示可能なＬＣＤモニター装置と、撮像した被写体の画像信号を記録する携帯可能（デジタルカメラ本体に着脱可能）な大容量の外部記憶装置を備えたデジタルカメラが市場の大半を占めるようになってきている。これらの２つの装置を備えたデジタルカメラを利用すると、ＬＣＤモニター装置で撮影した画像の出来栄えが撮影現場で確認でき、満足の得られない画像データはその場で消去したり、また必要に応じて再撮影したり、いわゆる撮影現場でも、外部記憶装置の編集作業が可能になり、写真撮影の効率が飛躍的に高まっている。
【０００３】
例えば、現在流通しているハードディスク装置等の記憶装置は、３０枚から５０枚程度の画像データが記録できるが、撮影現場で不要な画像データを消去すれば、新たに撮影可能な容量を確保することでき、比較的高価なハードディスク装置を有効に活用する事ができ、大変便利である。
【０００４】
【発明が解決しようとする課題】
しかしながら、上記のような従来のでデジタルカメラにおいては、携帯用電池の電源を用いたデジタルカメラの場合、カメラ本体に備えられたＬＣＤモニター装置を必要以上に長時間使用していると、その消費電力が大きいため、比較的早く電池が消耗してしまい、１個の携帯用電池での撮影枚数や使用時間にも限界が生じてしまう。
【０００５】
例えば、不用意にＬＣＤモニター装置をオン状態で放置してしまうと、いざ撮影しようとした時に、電池容量が不足して撮影できないという事態にもなり兼ねない。
【０００６】
そこで、一定の所定時間、カメラが何も操作されない時は自動的にＬＣＤモニター装置をオフ状態にする、いわゆる、スリープタイマー機構というものが、すでに製品化されて公知となっている。これらの公知事例の場合は、スリープタイマーの時間が一定（固定）であり、電池の残量や、環境に応じて変化するものではないため、まだ省エネ対策が不十分であるという問題点があった。
【０００７】
本発明は、上記のような問題点を解決するためになされたものであり、より効率的な省エネ対策を図った撮像装置及び表示装置を提供することを目的とする。
【０００８】
【課題を解決するための手段】
本発明の撮像装置及び表示装置は次のように構成したものである。
【０００９】
（１）被写体を撮像する撮像素子と、前記撮像素子で撮像した被写体画像を表示する表示手段と、時間を計測する計測手段と、操作入力が所定時間なかったときに前記表示手段の表示動作を停止させるように制御する制御手段とを有する撮像装置であって、前記撮像装置の内部温度を検出する温度検出手段と、前記温度検出手段によって検出された温度に応じて前記所定時間を変更する変更手段と、使用者が前記所定時間を設定する時間設定手段と、前記使用者が前記所定時間に変更するための温度を設定する温度設定手段と、を備えたことを特徴とする撮像装置。
（２）前記制御手段は、前記表示手段の表示動作を停止させて所定の待機状態とするように制御することを特徴とする前記（１）に記載の撮像装置。
（３）前記表示手段は、表示素子と、前記表示素子を照明するバックライト照明とを有するとともに、前記制御手段は、少なくとも前記バックライト照明の照明動作を停止させることを特徴とする前記（２）に記載の撮像装置。
（４）画像を表示する表示手段を有する表示装置において、前記表示装置に操作入力が所定時間なかったときに前記表示手段の表示動作を停止させるように制御する制御手段と、前記表示装置本体を動作させるための電源を供給する電池と、前記表示装置内部の温度を検出する温度検出手段と、前記温度検出手段によって検出された温度に応じて前記所定時間を変更する変更手段と、使用者が前記所定時間を設定するための設定手段と、前記使用者が前記所定時間を変更するための温度を設定する温度設定手段と、を備えたことを特徴とする表示装置。
（５）画像を表示する表示手段を有する表示装置において、前記表示装置に操作入力が所定時間なかったときに前記表示手段の表示動作を停止させるように制御する制御手段と、前記表示装置本体を動作させるための電源を供給する電池と、前記電池の出力電圧を検出する電圧検出手段と、前記電圧検出手段によって検出された前記電池の出力電圧に応じて前記所定時間を変更する変更手段と、使用者が前記所定時間を設定するための設定手段と、前記使用者が前記所定時間を変更するための前記電池の出力電圧を設定する電圧設定手段と、を備えたことを特徴とする表示装置。
（６）被写体を撮像する撮像素子を備え、前記表示手段は、前記撮像素子で撮像した被写体画像を表示することを特徴とする前記（４）または（５）に記載の表示装置。
（７）前記制御手段は、前記表示手段の表示動作を停止させて所定の待機状態とするように制御することを特徴とする前記（４）乃至（６）のいずれか１項に記載の表示装置。
（８）前記表示手段は、表示素子と、前記表示素子を照明するバックライト照明とを有するとともに、前記制御手段は、少なくとも前記バックライト照明の照明動作を停止させることを特徴とする前記（７）に記載の表示装置。
【００２９】
【発明の実施の形態】
以下、各実施例を図１から図２０に基づき説明する。
【００３０】
（第１の実施例）
まず、本実施例を図１〜図８に基づき説明する。
【００３１】
図１は、本発明の第１の実施例による一眼レフタイプのデジタルカメラの構成を示す上面図、図２は同デジタルカメラの構成を示す背面図、図３は同デジタルカメラの構成を示す断面図である。各図において、１００はカメラ本体、１１１はファインダー観察用の接眼窓である。図１及び図２において、１１２はＡＥ（自動露出）ロックボタン、１１３はＡＦ（オートフォーカス）の測距点選択ボタンである。１１４は撮影操作をするためのレリーズボタンであり、１１５が他の操作釦と併用して、カメラに数値を入力したり、撮影モードを切り換えたりするための多機能信号入力用の電子ダイヤルである。
【００３２】
図１及び図２において、１１７は撮影モード選択ボタン、１１８はＡＦモード選択ボタン、１１９は測光モード選択ボタンで、調光補正ボタンも兼ねている。図２及び図３において、１２０は撮影された画像を表示する表示手段としてのＬＣＤモニター装置（液晶表示器）である。図２において、１２１はＬＣＤモニター装置１２０をオン／オフするためのモニタースイッチである。
【００３３】
本実施例によるＬＣＤモニター装置１２０は透過型であるため、ＬＣＤモニター装置の駆動だけでは、画像を視認することはできず、必ずその裏面には図３に示すようにバックライト照明装置２１４が必要である。ＬＣＤモニター装置１２０とバックライト照明装置２１４により表示手段を構成している。
【００３４】
図１及び図２において、１１６は入力用電子ダイヤル１１５と同様の機能を備えた、本デジタルカメラの撮影条件等を選択するためのサブ電子ダイヤルである。
【００３５】
図２において、１２２はこのサブ電子ダイヤル１１６による入力機能をロックするダイヤルロックスイッチ、１２３は本デジタルカメラの全ての動作を禁止するメインスイッチである。１２４はＬＣＤモニター装置１２０に画像を表示する際や、カメラの初期設定の際にモードを選択するためのメニューボタンで、各モードを選択する時は、このメニューボタン１２４を押しながらサブ電子ダイヤル１１６を回転して希望のモードを選択する。希望のモードが選択された時、メニューボタン１２４を離すと選択が完了する。
【００３６】
１４０は撮影条件等を表示する外部表示機能を備えた液晶表示装置よりなる外部表示装置である。
【００３７】
撮影レンズ２００は、図３に示すようにカメラ本体１００に対して、本体マウント２０２を介して交換可能であって、撮影手段を構成している。図３において、２０１は撮影光軸、２０３はクイックリターンミラー（反射手段）で、撮影光路内に設けられていて（斜設されて）撮影レンズ２００からの被写体光をファインダー光学系に導く位置（斜設位置）と撮影光路外に退避する位置との間で移動可能であり、図３においては斜設位置にある。
【００３８】
図３において、２０４はピント板で、ファインダー光学系に導かれる被写体光を結像する。２０５はファインダーの視認性を向上させるためのコンデンサーレンズ、２０６はペンタゴナルダハプリズムで、ピント板２０４およびコンデンサーレンズ２０５を通った被写体光をファインダー観察用の接眼レンズ２０８および測光センサ２０７に導く。また、１１１はファインダー観察用の接眼窓である。
【００３９】
２０９，２１０はそれぞれシャッターを構成する後幕と先幕で、これら後幕２０９、先幕２１０の開放によって、後方に配置されている固体撮像素子であるＣＣＤ（撮像手段）２１２に必要な露光を与える。撮影時にＣＣＤ２１２に蓄積された画像データは、別に設けられた不図示の画像処理回路を通して後述する記録手段に送られる。
【００４０】
２１１はプリント基板で、ＣＣＤ（撮像手段）２１２が保持されている。このプリント基板２１１の後方にもう１枚のプリント基板である表示基板２１５が配置してある。この表示基板２１５の外側の面にＬＣＤモニター装置（液晶表示器）１２０及びバックライト照明装置２１４が配置してある。２１６は画像データを記録するハードディスク装置（記録手段）、２１７が電池（携帯用電源手段）である。このハードディスク装置２１６、及び電池２１７は着脱可能である。２１８は、温度検出器（温度検出手段）である。
【００４１】
図４は、本発明の第１の実施例による一眼レフタイプのデジタルカメラの電気回路構成を示すブロック図である。同図において、４０１はプリント基板で、カメラの動作の全てを制御するマイクロコンピューター（変更手段（選択手段），時間設定手段，基準電圧設定手段，基準温度設定手段）４０２、温度検出手段の一部である温度検出回路４０３、電池電圧検出回路（電池電圧検出手段）４０４、省エネ制御回路（省エネ制御手段）４０５、ＣＣＤ４２０の出力である画像データを処理する画像処理回路４０６等が搭載されている。
【００４２】
４０７はレンズ制御回路で、本実施例では、一眼レフタイプのデジタルカメラであるので、撮影レンズ２００（図１及び図３参照）との通信及びＡＦ（オートフォーカス）時の撮影レンズ２００の駆動や絞り羽根の駆動の制御をこのレンズ制御回路４０７が受け持っている。また図４において、４０８は外部表示の制御回路で外部表示装置４０９や、ファインダー内の表示装置（不図示）の制御を行う。４１０はスイッチセンス回路で、カメラ内に設けられた電子ダイヤル４１１を含む多数のスイッチ類の信号をマイクロコンピューター４０２に伝える働きをしている。
【００４３】
４１２はストロボ発光調光制御回路で、Ｘ接点４１２ａを介して接地されており、外部ストロボの制御を行う。４１３は測距回路で、ＡＦ（オートフォーカス）のための被写体に対するディフォーカス量を検出する機能を有する。４１４は測光回路で、被写体の輝度を測定する機能を有する。４１５はシャッターの制御を行うシャッター制御回路で、ＣＣＤ４２０に対して適正な露光を行う。４１６は温度検出手段であるところの温度検出器、４１７は携帯用電源手段であるところの電池である。ＬＣＤモニター装置４１８とバックライト照明装置４１９は表示手段を構成している。４２１は記録手段であるところのコンパクトフラッシュ等の記憶装置（ハードディスク装置）である。
【００４４】
次に本発明の第１の実施例によるデジタルカメラの制御動作を図５に基づき説明する。図５は第１の実施例によるデジタルカメラの制御動作を示すフローチャートである。なお、本動作はマイクロコンピューター４０２内のＲＯＭに格納されているプログラムに基づいてマイクロコンピューター４０２内のＣＰＵによって実行されている。
【００４５】
まず、ステップＳ５０１でメインスイッチが１２３（図２参照）がオン（ＯＮ）したか否かを判断する。ここでいうオンは、図２でメインスイッチ１２３が‘Ａ’の位置にあるときである。もしここで、メインスイッチ１２３がオフ（‘Ｌ’の位置）であれば、ステップＳ５０２に進んでモニタースイッチ１２１（図２参照）がオン（ＯＮ）しているか否かを判断し、モニタースイッチ１２１がオンであれば、次のステップＳ５０３で表示手段の一部であるバックライト照明装置２１４（図３参照）の駆動を止めて消灯させる。
【００４６】
次のステップＳ５０４で、表示手段の一部であるＬＣＤモニター装置１２０（図２，３参照）の表示動作を停止させて、画像の表示を止める。このあとスタートに戻って、またステップＳ５０１に進む。一方、ステップＳ５０２でモニタースイッチ１２１（図２参照）がオフ（ＯＦＦ）していれば、そのまま何もせずリターンし、スタートに戻ってステップＳ５０１に進む。つまり、電池が入っていてもメインスイッチが‘Ｌ’の位置で、かつＬＣＤモニター装置１２０が消灯していれば、ステップＳ５０１からステップＳ５０２、リターン、スタートの間のループを繰り返して待機していることになる。
【００４７】
一方、ステップＳ５０１でメインスイッチがオン（ＯＮ）していれば、ステップＳ５０５に進んで、モニタースイッチ１２１（図２参照）がオン（ＯＮ）しているか否かを判断し、モニタースイッチ１２１がオンであれば、次のステップＳ５０６で表示手段の一部であるバックライト照明装置２１４（図３参照）を駆動して点灯させる。
【００４８】
次のステップＳ５０７で、表示手段であるＬＣＤモニター装置１２０（図２，３参照）の表示動作を行い、メニュー画面または、画像を表示する。このあとステップＳ５０８のタイマー選択ルーチンＡに進む。タイマー選択ルーチンＡは、所定時間、カメラが何も操作されない時は、自動的にＬＣＤモニター装置をオフ状態にする、スリープタイマー機構（省エネ制御手段）の所定時間を選択するルーチンであって、詳細については後述する。
【００４９】
ステップＳ５０９は計時装置（計測手段）のリセットで、リセット動作が行われると、直ちにそれ以降の時間の計時を開始する。一方、ステップＳ５０５でモニタースイッチ１２１がオフ（ＯＦＦ）していれば、ＬＣＤモニター装置への表示動作は行わず、そのままステップＳ５１０に進む。
【００５０】
ステップＳ５１０では、本デジタルカメラの各操作スイッチがオン（ＯＮ）したか否かを判断する。そして、いずれの操作スイッチも操作されていない時は、ステップＳ５１１に進み、ＬＣＤモニター装置１２０（図２，３参照）が動作しているか否かを判断し、もし、ＬＣＤモニター装置１２０が動作している時は、ステップＳ５１２で、ステップＳ５０８のタイマー選択ルーチンＡで選択されたタイマー時間（スイッチ類からの信号を入力して次のスイッチ類からの信号を入力するまでの遅延時間）とステップＳ５０９でリセットされた計時装置の計時時間を比較する。
【００５１】
そして、計時装置の計時時間が選択ルーチンＡで選択されたタイマー時間を越えているか否かを、つまり、タイムアップしているかどうかを、ステップＳ５１３で判断し、タイムアップしていなければステップＳ５１０に戻り、タイムアップしていれば、次のステップＳ５１４でバックライト照明装置２１４を消灯し、ステップＳ５１５でＬＣＤモニター装置１２０の動作を停止する。そして、ステップＳ５１０に戻る。以上述べたうち、ステップＳ５１０からステップＳ５１５までが、本実施例の特徴とする省エネ制御動作であり、一般的には省エネモードと呼ばれている。
【００５２】
ここで、表示動作を停止する手段として、上記では、ステップＳ５１４でバックライト照明装置２１４を消灯し、ステップＳ５１５でモニター表示の動作を停止するとしているが、ステップＳ５１４でバックライト照明装置２１４を消灯するのみを実行し、ステップＳ５１５はスキップしてもよい。なぜならば、表示動作における消費電力の大部分は、このバックライト照明装置２１４によるものであるので、少なくともバックライト照明装置２１４を消灯すれば、ほとんど同様の省エネ効果が得られるからである。
【００５３】
ステップＳ５１０で本デジタルカメラの各操作スイッチの内のいずれかがオンすると、次のステップＳ５１６でモニタースイッチ１２１（図２参照）がオン（ＯＮ）しているか否かを判断し、モニタースイッチ１２１がオフ（ＯＦＦ）であれば、ステップＳ５２０に進む。モニタースイッチ１２１がオンであれば、次のステップＳ５１７で表示手段であるＬＣＤモニター装置１２０及びバックライト照明装置２１４がオフしているか否かを判断する。このステップＳ５１７でＬＣＤモニター装置１２０（図２，３参照）がオンしていればステップＳ５２０に進む。一方、ステップＳ５１７でＬＣＤモニター装置１２０がオフしていれば、ステップＳ５１８で、表示手段の一部であるバックライト照明装置２１４（図３参照）を駆動して点灯させる。次のステップＳ５１９で、表示手段の一部であるＬＣＤモニター装置１２０（図２，３参照）の表示動作を行い、メニュー画面または、画像を表示する。
【００５４】
つまり、ステップＳ５１０からステップＳ５１５までの、省エネ制御動作により、操作部材が何も操作されない時にＬＣＤモニター装置１２０が消灯されていても、いずれかの操作部材が操作されることにより、モニタースイッチ１２１（図２参照）がオン状態であれば、ステップＳ５１６からステップＳ５１９の実行により速やかに省エネモードから通常のスタンバイ状態に復帰することができる。
【００５５】
次に、ステップＳ５２０で、前記ステップＳ５１０で判断した、オンした操作スイッチに対応した処理をマイクロコンピューター４０２（図４参照）により行う。この処理は、例えば、本デジタルカメラの各操作部材を操作して、撮影モードを変えたり、撮影済の画像を読み出したりする処理である。ステップＳ５２１では、スイッチ１がオン（ＯＮ）したか否かを判断する。このスイッチ１はレリーズボタン１１４（図１参照）の半押し状態のことであり、このスイッチ１がオンすると本デジタルカメラは撮影準備状態になる。そして、スイッチ１がオフ（ＯＦＦ）していれば前記ステップＳ５０１へ戻り、またスイッチ１がオンすると、本デジタルカメラは次のステップＳ５２２へ進む。
【００５６】
ステップＳ５２２では、測光（ＡＥ）動作及び測距（ＡＦ）動作がそれぞれ行われ、撮影手段である撮影レンズ２００（図１，３参照）が駆動されて焦点合わせが行われる。
【００５７】
次にステップＳ５２３でスイッチ２がオン（ＯＮ）されたか否かを判断する。このスイッチ２は、レリーズボタン１１４（図１参照）が最後まで押された状態のことであり、このスイッチ２がオンすると本デジタルカメラは撮影動作を開始する。そして、スイッチ２がオフ（ＯＦＦ）していれば前記ステップＳ５２１へ戻り、また、スイッチ２がオンすると、次のステップＳ５２４の撮像処理ルーチンに進み、撮影動作が開始される。
【００５８】
次に、前述した図５のフローチャートのなかの、ステップＳ５０８のタイマー選択ルーチンＡとステップＳ５２４の撮像処理ルーチンについて説明する。
【００５９】
図６は、本発明の第１の実施例によるデジタルカメラの動作フローチャートの中のタイマー選択ルーチンＡにおける制御動作を示すフローチャートである。このタイマー選択ルーチンＡが実行されると、ステップＳ６０１で電池電圧の読み取りが行われる。
【００６０】
これは、図４における電池電圧検出回路（電池電圧検出手段）４０４によってなされ、このデータをマイクロコンピューター４０２内蔵のメモリー（ｖ）に収納される。次のステップＳ６０２でこの検出された電池電圧ｖと設定された基準電圧Ｖ１とを比較する。基準電圧Ｖ１は任意に設定された電圧で、本実施例では、図７（ａ）に示すように５ｖに設定されている。
【００６１】
ステップＳ６０２で基準電圧Ｖ１より電池電圧ｖが大きいか等しい時は、ステップＳ６０５に進みタイマーはＴｉｍｅ１（遅延時間）が選択される。Ｔｉｍｅ１は本実施例では、図７（ｂ）のように３０ｓに設定されている。また、ステップＳ６０２で基準電圧Ｖ１より電池電圧ｖが小さければ、ステップＳ６０３に進み、電池電圧ｖと基準電圧Ｖ２を比較する。基準電圧Ｖ２は任意に設定された電圧で、本実施例では、基準電圧Ｖ１同様に、図７（ａ）に示すように４．５ｖに設定されている。
【００６２】
ステップＳ６０３で基準電圧Ｖ２より電池電圧ｖが大きいか等しい時は、ステップＳ６０６に進みタイマーはＴｉｍｅ２（遅延時間）が選択される。Ｔｉｍｅ２は本実施例では、Ｔｉｍｅ１同様に、図７（ｂ）に示すように１５ｓに設定されている。
【００６３】
また、ステップＳ６０３で基準電圧Ｖ２より電池電圧ｖが小さければ、ステップＳ６０４に進み、電池電圧ｖと基準電圧Ｖ３を比較する。基準電圧Ｖ３は任意に設定された電圧で、本実施例では、基準電圧Ｖ１同様に、図７（ａ）に示すように４．０ｖに設定されている。ステップＳ６０４で基準電圧Ｖ３より電池電圧ｖが大きいか等しい時は、ステップＳ６０７に進みタイマーはＴｉｍｅ３（遅延時間）が選択される。Ｔｉｍｅ３は本実施例では、Ｔｉｍｅ１同様に、図７（ｂ）に示すように６ｓに設定されている。
【００６４】
また、ステップＳ６０４で基準電圧Ｖ３より電池電圧ｖが小さければ、ステップＳ６０８に進みタイマーはＴｉｍｅ４（遅延時間）が選択される。Ｔｉｍｅ４は本実施例では、Ｔｉｍｅ１同様に、図７（ｂ）に示すように３ｓに設定されている。以上のようにして、本実施例では、電池の電圧に応じた所望のタイマーが選択される。
【００６５】
次に、前述した図５のフローチャートのなかの、ステップＳ５２４の撮像処理ルーチンについて説明する。
【００６６】
図８は、撮像処理ルーチンにおける制御動作を示すフローチャートである。この撮像処理ルーチンが実行されると、ステップＳ８０１で図３のクイックリターンミラー２０３が作動して、いわゆるミラーアップして、撮影光路外にクイックリターンミラーが退避する。次に、ステップＳ８０２で撮像手段であるＣＣＤ２１２（図３参照）の蓄積が開始され、次のステップＳ８０３では、シャッターの露光、即ち、先幕２１０（図３参照）、後幕２０９（図３参照）がそれぞれ走行する。
【００６７】
そして、ステップＳ８０４でＣＣＤ２１２（図３参照）の蓄積が終了され、次のステップＳ８０５でＣＣＤ２１２から画像信号が読み出されて、画像処理回路３２２（図４参照）に内蔵されている内部メモリーに一時記憶される。次のステップＳ８０６で全ての画像信号の読み出しが終了し、ステップＳ８０７で図３のクイックリターンミラーが作動して、いわゆるミラーダウンして、クイックリターンミラー２０３が被写体光をファインダー光学系に導く位置（斜設位置）に  戻り、一連の撮像動作が終了する。
【００６８】
したがって、本発明の第１の実施例によるデジタルカメラの動作フローチャートでは、一定の所定時間、カメラが何も操作されない時は自動的にＬＣＤモニター装置（表示手段）をオフ状態にする、いわゆる、スリープタイマー機構（省エネ制御手段）というものが、動作する際に、電池（携帯用電源手段）の残量を図６のステップＳ６０１で読み取り、その電池電圧に応じて、図６のステップＳ６０５からステップＳ６０８で所定時間を設定し、図５のステップＳ５１０からステップＳ５１５で、本デジタルカメラの操作部材が何も操作されない時、ＬＣＤモニター装置１２０をオフ状態にするので、電池残量が少なくなってきた時は、スリープモードに入るまでの時間を短くして、さらに省エネを図ることができる。
【００６９】
本実施例では、電池の電圧に応じて、スリープタイマーの時間を設定し、本デジタルカメラの操作部材が何も操作されない時、いわゆる、撮影者がＬＣＤモニター装置１２０を観察する機会の無い間は、少なくともバックライト照明装置２１４の表示動作を停止するので、無駄な電力を消費することが無く、従来公知となっているスリープタイマー機構付きのカメラと比べて、更に省エネを図ることができる。このため、電池消耗によって、急に撮影が不可能になるトラブルを防止することができる。
【００７０】
また、従来製品と比べても、さらなる省エネルギーのデジタルカメラを提供することができるため、電池２１７（図３参照）の寿命が長くなり、１回の電池交換での撮影コマ数も増やすことができる。
【００７１】
（第２の実施例）
次に、本実施例の図９〜図１１に基づき説明する。なお、本実施例によるデジタルカメラの基本的な構成は、上述した第１の実施例における図１〜図４と同一であるから、これら各図を流用して説明する。
【００７２】
図９は本発明の第２の実施例によるデジタルカメラの制御動作を示すフローチャートである。なお、本動作はマイクロコンピューター４０２内のＲＯＭに格納されているプログラムに基づいてマイクロコンピューター４０２内のＣＰＵによって実行される。
【００７３】
同図におけるステップＳ９０１〜ステップＳ９０７までの処理及びステップＳ９０９〜ステップＳ９２４の処理は、上述した第１の実施例における図５のステップＳ５０１〜ステップＳ５０７の処理及びステップＳ５０９〜ステップＳ５２４の処理と同一であるから、その説明は省略し、本実施例特有の処理についてのみ説明する。
【００７４】
本実施例においては、図９のステップＳ９０８のタイマー選択ルーチンＢのみが第１の実施例と異なる点である。
【００７５】
図１０は図９のタイマー選択ルーチンＢにおける制御動作を示すフローチャートであり、このタイマー選択ルーチンＢが実行されると、ステップＳ１００１で温度データの読み取りが行われる。これは、図４における温度検出回路（温度検出手段）４０３、及び温度検出器（温度検出手段）４１６によってなされ、このデータを図４のマイクロコンピューター４０２内蔵のメモリー（ｔ）に収納される。
【００７６】
次のステップＳ１００２でこの検出された検出温度ｔと基準温度値Ｔｅｍ１とを比較する。基準温度値Ｔｅｍ１は任意に設定された電圧で、本実施例では、図１１（ａ）に示すように１５℃に設定されている。ステップＳ１００２で基準温度値Ｔｅｍｌより検出温度ｔが大きいか等しい時は、ステップＳ１００５に進み、タイマーはＴｉｍｅｌ（遅延時間）が選択される。Ｔｉｍｅｌは本実施例では、図１１（ｂ）に示すように３０ｓに設定されている。
【００７７】
また、ステップＳ１００２で基準温度値Ｔｅｍｌより検出温度ｔが小さければ、ステップＳ１００３に進み、検出温度ｔと基準温度値Ｔｅｍ２を比較する。基準温度値Ｔｅｍ２は任意に設定された電圧で、本実施例では、基準温度値Ｔｅｍｌ同様に、図１１（ａ）に示すように７℃に設定されている。ステップＳ１００３で基準温度値Ｔｅｍ２より検出温度ｔが大きいか等しい時は、ステップＳ１００６に進みタイマーはＴｉｍｅ２（遅延時間）が選択される。Ｔｉｍｅ２は本実施例では、Ｔｉｍｅ１同様に、図１１（ｂ）に示すように１５ｓに設定されている。
【００７８】
また、ステップＳ１００３で基準温度値Ｔｅｍ２より検出温度ｔが小さければ、ステップＳ１００４に進み、検出温度ｔと基準温度値Ｔｅｍ３（２℃）を比較する。基準温度値Ｔｅｍ３は任意に設定された電圧で、本実施例では、基準温度値Ｔｅｍ１同様に、図１１（ａ）に示すように２℃に設定されている。
【００７９】
ステップＳ１００４でＴｅｍ３より検出温度ｔが大きいか等しい時は、ステップＳ１００７に進みタイマーはＴｉｍｅ３（遅延時間）が選択される。Ｔｉｍｅ３は本実施例では、Ｔｉｍｅ１同様に、図１１（ｂ）に示すように６ｓに設定されている。また、ステップＳ１００４で基準温度値Ｔｅｍ３より検出温度ｔが小さければ、ステップＳ１００８に進みタイマーはＴｉｍｅ４（遅延手段）が選  択される。Ｔｉｍｅ４は本実施例では、Ｔｉｍｅ１同様に、図１１（ｂ）に示すように３ｓ設定されている。以上のようにして、本実施例では、本デジタルカメラ内部の温度に応じた、所望のタイマー（所定時間）が選択される。
【００８０】
したがって、本実施例によるデジタルカメラの動作フローチャートでは、一定の所定時間、カメラが何も操作されない時は自動的にＬＣＤモニター装置（表示手段）１２０をオフ状態にする、いわゆる、スリープタイマー機構（省エネ制御手段）というものが動作する際に、本デジタルカメラ内部の温度を図１０のステップＳ１００１で読み取り、その温度データに応じて、図１０のステップＳ１００５からステップＳ１００８で所定時間を設定し、図９のステップＳ９１０からステップＳ９１５で、本デジタルカメラの操作部材が何も操作されない時、ＬＣＤモニター装置１２０をオフ状態にするので、カメラ内部の温度が低くなってきた時は、スリープモードに入るまでの時間を短くして、必要以上に電池（携帯用電源手段）２１７が消耗するのをを防止することができる。
【００８１】
本実施例では、カメラ内部の温度に応じて、スリープタイマーの時間を設定し、本デジタルカメラの操作部材が何も操作されない時、いわゆる、撮影者がＬＣＤモニター装置１２０を観察する機会の無い間は、ＬＣＤモニター装置１２０とバックライト照明装置２１４の表示動作を停止するので、低温環境下での無駄な電力を消費することが無く、従来公知となっているスリープタイマー機構付きのカメラと比べて、低温環境において更に省エネを図ることができる。このため、電池消耗によって、急に撮影が不可能になるトラブルを防止することができる。いかなる電池であっても、その特性上、低温下では、エネルギー効率が著しく低下するのが一般的である。
【００８２】
また、従来製品と比べても、さらなる省エネルギーのデジタルカメラを提供することができるため、電池２１７（図３参照）の寿命が長くなり、低温下であっても、１回の電池交換での撮影コマ数も増やすことができる。
【００８３】
（第３の実施例）
次に、本実施例の図１２〜図１３に基づき説明する。なお、本実施例によるデジタルカメラの基本的な構成は、上述した第１の実施例における図１〜図４と同一であるから、これら各図を流用して説明する。
【００８４】
図１２は本発明の第２の実施例によるデジタルカメラの制御動作を示すフローチャートである。なお、本動作はマイクロコンピューター４０２内のＲＯＭに格納されているプログラムに基づいてマイクロコンピューター４０２内のＣＰＵによって実行される。
【００８５】
同図におけるステップＳ１２０１〜ステップＳ１２０７までの処理及びステップＳ１２０９〜ステップＳ１２２４の処理は、上述した第１の実施例における図５のステップＳ５０１〜ステップＳ５０７の処理及びステップＳ５０９〜ステップＳ５２４の処理と同一であるから、その説明は省略し、本実施例特有の処理についてのみ説明する。
【００８６】
本実施例においては、図１２のステップＳ１２０８のタイマー選択ルーチンＣのみが第１の実施例と異なる点である。
【００８７】
図１３は図１２のタイマー選択ルーチンＣにおける制御動作を示すフローチャートであり、このタイマー選択ルーチンＣが実行されると、ステップＳ１３０１で電池電圧の読み取りが行われる。これは、図４における電池電圧検出回路（電池電圧検出手段）４０４によってなされ、このデータを図４のマイクロコンピューター４０２内蔵のメモリー（ｖ）に収納される。
【００８８】
次のステップＳ１３０２でこの検出された電池電圧ｖと基準電圧Ｖ１とを比較する。基準電圧Ｖ１は任意に設定された電圧で、本実施例では、図７（ａ）（第１の実施例と同じ）に示すように５．０ｖに設定されている。ステップＳ１３０２で基準電圧Ｖ１より電池電圧ｖが大きいか等しい時は、ステップＳ１３０５に進み、タイマーＡはＴｉｍｅｌ（遅延時間）が選択される。Ｔｉｍｅｌは本実施例では、図７（ｂ）（第１の実施例と同じ）のように３０ｓに設定されている。
【００８９】
また、ステップＳ１３０２で基準電圧Ｖ１より電池電圧ｖが小さければ、ステップＳ１３０３に進み、電池電圧ｖと基準電圧Ｖ２を比較する。基準電圧Ｖ２は任意に設定された電圧で、本実施例では、基準電圧Ｖ２同様に、図７（ａ）（第１の実施例と同じ）のように４．５ｖに設定されている。
【００９０】
ステップＳ１３０３で基準電圧Ｖ２より電池電圧ｖが大きいか等しい時は、ステップＳ１３０６に進みタイマーＡはＴｉｍｅ２（遅延時間）が選択される。Ｔｉｍｅ２は本実施例では、Ｔｉｍｅ１同様に、図７（ｂ）（第１の実施例と同じ）に示すように１５ｓに設定されている。
【００９１】
また、ステップＳ１３０３で基準電圧Ｖ２より電池電圧ｖが小さければ、ステップＳ１３０４に進み、電池電圧ｖと基準電圧Ｖ３を比較する。基準電圧Ｖ３は任意に設定された電圧で、本実施例では、基準電圧Ｖ１同様に、図７（ａ）（第１の実施例と同じ）に示すように４．０ｖに設定されている。
【００９２】
ステップＳ１３０４で基準電圧Ｖ３より電池電圧ｖが大きいか等しい時は、ステップＳ１３０７に進みタイマーＡはＴｉｍｅ３（遅延時間）が選択される。Ｔｉｍｅ３は本実施例では、Ｔｉｍｅ１同様に、図７（ｂ）（第１の実施例と同じ）に示すように６ｓに設定されている。また、ステップＳ１３０４で基準電圧Ｖ３より電池電圧ｖが小さければ、ステップＳ１３０８に進みタイマーＡはＴｉｍｅ４（遅延手段）が選択される。Ｔｉｍｅ４は本実施例では、Ｔｉｍｅ１同様に、図７（ｂ）（第１の実施例と同じ）に示すように３ｓ設定されている。以上のようにして、電池の電圧により、所望のタイマーＡが選択される。
【００９３】
次にステップＳ１３０９では、温度データの読み取りが行われる。これは、図４における温度検出回路（温度検出手段）４０３、及び温度検出器（温度検出手段）４１６によってなされ、このデータを図４のマイクロコンピューター４０２内蔵のメモリー（ｔ）に収納される。
【００９４】
次のステップＳ１３１０でこの検出された検出温度ｔとあらかじめ設定された基準温度値Ｔｅｍ１とを比較する。基準温度値Ｔｅｍ１は任意に設定された基準温度値で、本実施例では、図１１（ａ）（第２の実施例と同じ）に示すように１５℃に設定されている。ステップＳ１３１０で基準温度値Ｔｅｍｌより検出温度ｔが大きいか等しい時は、ステップＳ１３１３に進み、タイマーＢはＴｉｍｅｌ（遅延時間）が選択される。Ｔｉｍｅｌは本実施例では、図１１（ｂ）（第２の実施例と同じ）に示すように３０ｓに設定されている。
【００９５】
また、ステップＳ１３１０で基準温度値Ｔｅｍｌより検出温度ｔが小さければ、ステップＳ１３１１に進み、検出温度ｔと基準温度値Ｔｅｍ２を比較する。基準温度値Ｔｅｍ２は任意に設定された基準温度値で、本実施例では、基準温度値Ｔｅｍｌ同様に、図１１（ａ）（第２の実施例と同じ）に示すように７℃に設定されている。ステップＳ１３１１で基準温度値Ｔｅｍ２より検出温度ｔが大きいか等しい時は、ステップＳ１３１４に進みタイマーＢはＴｉｍｅ２（遅延時間）が選択される。Ｔｉｍｅ２は本実施例では、Ｔｉｍｅ１同様に、図１１（ｂ）（第２の実施例と同じ）に示すように１５ｓに設定されている。
【００９６】
また、ステップＳ１３１１で基準温度値Ｔｅｍ２より検出温度ｔが小さければ、ステップＳ１３１２に進み、検出温度ｔと基準温度値Ｔｅｍ３を比較する。基準温度値Ｔｅｍ３は任意に設定された基準温度値で、本実施例では、基準温度値Ｔｅｍ１同様に、図１１（ａ）（第２の実施例と同じ）に示すように２℃に設定されている。ステップＳ１３１２で基準温度値Ｔｅｍ３より検出温度ｔが大きいか等しい時は、ステップＳ１３１５に進みタイマーＢはＴｉｍｅ３（遅延時間）が選択される。Ｔｉｍｅ３は本実施例では、Ｔｉｍｅ１同様に、図１１（ｂ）（第２の実施例と同じ）に示すように６ｓに設定されている。
【００９７】
また、ステップＳ１３１２でＴｅｍ３より検出温度ｔが小さければ、ステップＳ１３１６に進みタイマーＢはＴｉｍｅ４（遅延手段）が選択される。Ｔｉｍｅ４は本実施例では、Ｔｉｍｅ１同様に、図１１（ｂ）（第２の実施例と同じ）に示すように３ｓ設定されている。以上のようにして、本デジタルカメラ内部の温度により、所望のタイマーＢが選択される。
【００９８】
次に、ステップＳ１３１７で、タイマーＡとタイマーＢを比較し、タイマーＢが小さいか、または等しい時は、ステップＳ１３１８へ進み、スリープタイマー用のタイマーにはタイマーＢを設定し、タイマーＡの方が小さい時は、ステップＳ１３１９で、スリープタイマー用のタイマー（所定時間）にタイマーＡを設定する。
【００９９】
したがって、本実施例によるデジタルカメラの動作フローチャートでは、一定の所定時間、カメラが何も操作されない時は自動的にＬＣＤモニター装置（表示手段）１２０をオフ状態にする、いわゆる、スリープタイマー機構（省エネ制御手段）というものが、動作する際に、電池（携帯用電源手段）２１７の残量を図１３のステップＳ１３０１で読み取り、その電池電圧に応じて、図１３のステップＳ１３０５からステップＳ１３０８でタイマーＡを選択し、続いて、本デジタルカメラ内部の温度を図１３のステップ１３１０で読み取り、その検出温度に応じて、図１３のステップＳ１３１３からステップＳ１３１６でタイマーＢを選択した後、タイマーＡとタイマーＢのいずれか短い方のタイマー時間が、スリープタイマー用のタイマー（所定時間）として設定される。
【０１００】
このように本実施例では、まず、電池の電圧により、所望のタイマーＡが選択され、次に、本デジタルカメラ内部の温度により、所望のタイマーＢが選択されたあと、いずれか短い方のタイマーがスリープタイマー用のタイマーとして設定される。そして、電池残量が少なくなってきた時、または、カメラ内部の温度が低くなってきた時の、いずれの場合でも、スリープモードに入るまでの時間を短くして、本デジタルカメラの操作部材が何も操作されない時は、ＬＣＤモニター装置をオフ状態にすることができる。そのため、電池残量が少なくなってきた時や、低温環境下では、スリープモードに入るまでの時間を短くして必要以上に電池が消耗するのを防止することができるので、さらに省エネを図ることができる。
【０１０１】
本実施例では、電池の電圧とカメラ内部の温度に応じて、スリープタイマーの時間を設定し、本デジタルカメラの操作部材が何も操作されない時、いわゆる、撮影者がＬＣＤモニター装置１２０を観察する機会の無い間は、ＬＣＤモニター装置１２０とバックライト照明装置２１４の表示動作を停止するので、無駄な電力を消費することが無く、従来公知となっているスリープタイマー機構付きのカメラと比べて、更に省エネを図ることができる。このため、電池消耗によって、急に撮影が不可能になるトラブルを防止することができる。
【０１０２】
また、従来製品と比べても、さらなる省エネルギーのデジタルカメラを提供することが出来るため、電池２１７（図３参照）の寿命が長くなり、１回の電池交換での撮影コマ数も増やすことができる。
【０１０３】
また、図７（ａ）に示す比較用の電圧、図７（ｂ）に示すタイマーの時間、及び図１１（ａ）に示す比較用の温度は、（図１１（ｂ）に示すタイマーの時間は、図７（ｂ）に同じ）いずれも、本デジタルカメラの操作部材を使用して撮影者が任意に変更することができる。その方法は、以下の第４の実施例で説明する。
【０１０４】
（第４の実施例）
次に、本実施例の図１４〜図２０に基づき説明する。なお、本実施例の形態に係るデジタルカメラの基本的な構成は、上述した第１の実施例における図１〜図４と同一であるから、これら各図を流用して説明する。
【０１０５】
本実施例では、遅延手段、基準電圧設定手段、及び温度設定手段の、それぞれの遅延時間、基準電圧、及び基準温度値の設定方法について具体的に述べる。
【０１０６】
これらの各設定値を設定する際は、設定値を視認しながら所望の設定値に設定する必要があるが、本実施例では、特に専用の表示装置、操作部材を設けるのではなく、本来撮影条件等を表示するための外部表示装置１４０（図１，図２参照）、撮影モード選択ボタン１１７（図１，図２参照）、ＡＦモード選択ボタン１１８（図１，図２参照）、測光モード選択ボタン１１９（図１，図２参照）を流用して行う。これにより、特に専用の表示装置、操作部材を設けることなく、各設定値の設定が容易に可能になる。
【０１０７】
図１４は、本実施例による一眼レフタイプのデジタルカメラの外部表示装置１４０（図１，図２参照）の全ての表示内容を示す図であり、本実施例では、図１４における、外部表示装置１４００の中のＴｖ表示用の７セグメント表示部１４０１とＡｖ表示用の７セグメント表示部１４０２を流用している。以下、具体的な設定方法について述べる。
【０１０８】
まず、電池電圧の比較のための基準電圧の設定方法であるが、基準電圧を設定する場合は、基準電圧設定手段である、外部表示装置１４０（図１，図２参照）撮影モード選択ボタン１１７（図１，図２参照）とＡＦモード選択ボタン１１８（図１，図２参照）を使用して行う。まず、撮影モード選択ボタン１１７（図１，図２参照）とＡＦモード選択ボタン１１８（図１，図２参照）を同時に押して電子ダイヤル１１５（図１，図２参照）を回転させることにより、どの設定値を変更するかを選択することができる。
【０１０９】
図１５は、この設定値を選択する様子を示す説明図である。撮影モード選択ボタン１１７とＡＦモード選択ボタン１１８を同時に押して電子ダイヤル１１５を時計方向に回転させると、順次図１５（ａ）、図１５（ｂ）、図１５（ｃ）、図１５（ａ）というように切り換わる。電子ダイヤル１１５を反時計方向に回転させるとその切り換わり方向は逆になる。ここでの表示で、図１５（ａ）のＥ１、５０は、図７（ａ）でＶ１、５．０ｖを意味する。以下、図１５（ｂ）のＥ２、４５は、図７（ａ）でＶ２、４．５ｖを、図１５（ｃ）のＥ３、４０は、図７（ａ）でＶ３、４．０ｖを表している。
【０１１０】
ここでの電圧値は、現在設定されている基準電圧値を示しているが、通常、変更前はこの値がイニシャルセットされている。撮影モード選択ボタン１１７とＡＦモード選択ボタン１１８、及び電子ダイヤル１１５を駆使して変更したい設定値を選択したら、撮影モード選択ボタン１１７とＡＦモード選択ボタン１１８を離す。ここで基準電圧値の変更モードになる。次に、電子ダイヤル１１５を回転することにより、基準電圧値を設定することができる。
【０１１１】
この様子を示したのが、図１６である。電子ダイヤル１１５を時計方向に回転させると基準電圧値は増加し（図１６（ａ）、図１６（ｂ）、図１６（ｃ）の順）、反時計方向に回転させると基準電圧値は減少する。但し、他の設定値で設定している値を超えることはできない。例えば、図７（ａ）の例でＶ１を変更する時、Ｖ２に４．５ｖが設定してある時は、Ｖ１で設定できる下限値は４．５ｖである。
【０１１２】
次に遅延時間の設定であるが、遅延時間を設定する場合は、ＡＦモード選択ボタン１１８（図１，図２参照）を測光モード選択ボタン１１９（図１，図２参照）を同時に押して電子ダイヤル１１５（図１，図２参照）を回転させることにより、どの設定値を変更するかを選択することができる。図１７は、この設定値を選択する様子を示す説明図である。ＡＦモード選択ボタン１１８と測光モード選択ボタン１１９を同時に押して電子ダイヤル１１５を時計方向に回転させると、順次図１７（ａ）、図１７（ｂ）、図１７（ｃ）、図１７（ｄ）、図１７（ａ）というように切り換わる。電子ダイヤル１１５を反時計方向に回転させるとその切り換わり方向は逆になる。
【０１１３】
ここでの表示で、図１７（ａ）のＦ１、３０は、図７（ｂ）でＴｉｍｅ１、３０ｓ（秒）を意味する．以下、図１７（ｂ）のＦ２、１５は、図７（ｂ）でＴｉｍｅ２、１５ｓ（秒）を、図１７（ｃ）のＦ３、６は、図７（ｂ）でＴｉｍｅ３、６ｓ（秒）を図１７（ｄ）のＦ４、３は、図７（ｂ）でＴｉｍｅ４、３ｓ（秒）を表している。
【０１１４】
ここで表示される遅延時間は、現在設定されている遅延時間を示しているが、通常、変更前はこの値がイニシャルセットされている。ＡＦモード選択ボタン１１８と測光モード選択ボタン１１９、及び電子ダイヤル１１５を駆使して変更したい設定値を選択したら、ＡＦモード選択ボタン１１８を測光モード選択ボタン１１９を離す。ここで、遅延時間の設定値の変更モードになる。
【０１１５】
次に、電子ダイヤル１１５を回転することにより、遅延時間の設定値を設定することができる。この様子を示したのが、図１８である。電子ダイヤル１１５を反時計方向に回転させると遅延時間の設定値は減少し（図１８（ａ）、図１８（ｂ）、図１８（ｃ）の順）、時計方向に回転させると遅延時間の設定値は増加する。但し、他の設定値で設定している値を超えることはできない。例えば、図７（ｂ）の例でＴｉｍｅ１を変更する時、Ｔｉｍｅ２に１５ｓ（秒）が設定してある時は、Ｔｉｍｅ１で設定できる下限値は１５ｓ（秒）である。
【０１１６】
次に、基準温度値の設定方法であるが、基準温度値を設定する場合は、温度設定手段である、外部表示装置１４０（図１，図２参照）、撮影モード選択ボタン１１７（図１，図２参照）と測光モード選択ボタン１１９（図１，図２参照）を使用して行う。まず、撮影モード選択ボタン１１７（図１，図２参照）を測光モード選択ボタン１１９（図１，図２参照）を同時に押して電子ダイヤル１１５（図１，図２参照）を回転させることにより、複数ある基準温度値の中の、どの基準温度値を変更するかを選択することができる。
【０１１７】
図１９は、この基準温度値を選択する様子を示す説明図である。撮影モード選択ボタン１１７と測光モード選択ボタン１１９を同時に押して電子ダイヤル１１５を時計方向に回転させると、順次図１９（ａ）、図１９（ｂ）、図１９（ｃ）、図１９（ａ）、というように切り換わる。電子ダイヤル１１５を反時計方向に回転させるとその切り換わり方向は逆になる。
【０１１８】
ここでの表示で、図１９（ａ）のＣ１、１５は、図１１（ａ）でＴｅｍ１、１５℃を意味する。以下、図１９（ｂ）のＣ２、７は、図１１（ａ）でＴｅｍ２、７℃を、図１９（ｃ）のＣ３、２は、図１１（ａ）でＴｅｍ３、２℃を表している。
【０１１９】
ここで表示される基準温度値は、現在設定されている基準温度値を示しているが、通常、変更前はこの値がイニシャルセットされている。撮影モード選択ボタン１１７と測光モード選択ボタン１１９、及び電子ダイヤル１１５を駆使して変更したい基準温度値を選択したら、撮影モード選択ボタン１１７と測光モード選択ボタン１１９を離す。ここで基準温度値の変更モードになる。
【０１２０】
次に、電子ダイヤル１１５を回転することにより、基準電圧値を設定することができる。この様子を示したのが、図２０である。電子ダイヤル１１５を反時計方向に回転させると基準温度値は減少し（図２０（ａ）、図２０（ｂ）、図２０（ｃ）の順）、時計方向に回転させると基準温度値は増加する。但し、他の基準温度値で設定している値を超えることはできない。例えば、図１１（ａ）の例でＴｅｍ１を変更する時、Ｔｅｍ２に７℃が設定してある時は、Ｔｅｍ１で設定できる下限値は７℃である。
【０１２１】
以上述べてきた方法により、特に専用の操作部材を設けることもなく、撮影モード選択ボタン１１７、ＡＦモード選択ボタン１１８、測光モード選択ボタン１１９、それに電子ダイヤル１１５と外部表示装置１４０を流用することにより、遅延時間、基準電圧、及び基準温度値の設定を行うことができる。
【０１２２】
このように本実施例では、カメラの操作部材が何も操作されない時は自動的にＬＣＤモニター装置をオフ状態にする、いわゆる、スリープタイマー機構を備えたデジタルカメラにおいて、電池電圧に応じて、スリープタイマーの時間を設定し、本デジタルカメラの操作部材が何も操作されない時、少なくともバックライト照明装置の表示動作を停止するので、無駄な電力を消費することが無く、従来公知となっているスリープタイマー機構付きのカメラと比べて、更に省エネを図ることができる。このため、電池消耗によって、急に撮影が不可能になるトラブルを防止することができる。
【０１２３】
また、カメラ内部の温度に応じて、スリープタイマーの時間を設定し、本デジタルカメラの操作部材が何も操作されない時、少なくともバックライト照明装置の表示動作を停止するので、低温環境下での無駄な電力を消費することがなく、従来公知となっているスリープタイマー機構付きのカメラと比べて、低温環境において更に省エネを図ることができる。低温下では、電池のエネルギー効率が著しく低下するのが一般的であるが、本実施例では、電池消耗によって、急に撮影が不可能になるトラブルを防止することができる。
【０１２４】
また、従来製品と比べても、さらなる省エネルギーのデジタルカメラを提供することができるため、電池の寿命が長くなり、低温下であっても、１回の電池交換での撮影コマ数も増やすことができる。
【０１２５】
また、スリープタイマーの時間を切り換えるための基準電圧、温度、及びスリープタイマーの時間を、デジタルカメラの操作部材を使用して任意に設定できるので、撮影者の多様化した要望に答えられるデジタルカメラを供給することができる。
【０１２６】
【発明の効果】
以上説明したように、本発明によれば、操作入力が所定時間なかったときに表示手段の表示動作を停止させる時間を、検出された出力電圧に応じて変更することで、より効率的な省エネ対策を図ることができ、急に撮影が不可能になるというトラブルを防止することができるという効果がある。
【０１２８】
また、操作入力が所定時間なかったときに表示手段の表示動作を停止させる時間を、装置内部の温度により変更することで、例えば低温環境下での無駄な電力の消費を防止することができるという効果がある。
【０１２９】
また、操作入力が所定時間なかったときに表示手段の表示動作を停止させる時間を、検出された出力電圧および装置内部の温度により変更することで、さらに効率よく使用することができ、急に撮影が不可能になるというトラブルを防止することができるという効果がある。
【図面の簡単な説明】
【図１】  第１の実施例によるデジタルカメラの構成を示す上面図
【図２】  第１の実施例によるデジタルカメラの構成を示す背面図
【図３】  第１の実施例によるデジタルカメラの構成を示す断面図
【図４】  第１の実施例によるデジタルカメラの回路構成を示すブロック図
【図５】  第１の実施例によるデジタルカメラの制御動作を示すフローチャート
【図６】  図５のタイマー選択ルーチンＡにおける制御動作を示すフローチャート
【図７】  第１の実施例による基準電圧とスリープタイマー時間のテーブルを示す図
【図８】  図５の撮像処理ルーチンにおける制御動作を示すフローチャート
【図９】  第２の実施例によるデジタルカメラの制御動作を示すフローチャート
【図１０】  第２の実施例によるタイマー選択ルーチンＢにおける制御動作を示すフローチャート
【図１１】  第２の実施例による基準温度値とスリープタイマー時間のテーブルを示す図
【図１２】  第３の実施例によるデジタルカメラの制御動作を示すフローチャート
【図１３】  第３の実施例によるタイマー選択ルーチンＣにおける制御動作を示すフローチャート
【図１４】  図１、図２の外部表示装置の表示内容を示す図
【図１５】  第４の実施例による基準電圧を設定する様子を示す説明図
【図１６】  第４の実施例による基準電圧を設定する様子を示す説明図
【図１７】  第４の実施例によるスリープタイマーの設定値を選択する様子を示す説明図
【図１８】  第４の実施例によるスリープタイマーを設定する様子を示す説明図
【図１９】  第４の実施例による基準温度値の設定値を選択する様子を示す説明図
【図２０】  第４の実施例による基準温度値を設定する様子を示す説明図
【符号の説明】
１００  カメラ本体
１２０  ＬＣＤモニター装置（表示手段）
２１２  ＣＣＤ
２１４  バックライト照明装置（表示手段）
２１６  ハードディスク装置（記録手段）
２１７  電池
２１８  温度検出器（温度検出手段）
４０２  マイクロコンピューター（変更手段，時間設定手段，基準電圧設定手段，基準温度設定手段）
４０３  温度検出回路（温度検出手段）
４０４  電池電圧検出回路（電圧検出回路）
４０５  省エネ制御回路（制御手段）
４１０  スイッチセンス回路
４１１  電子ダイアル
４１７  電池
４１８  ＬＣＤモニター装置（表示手段）
４１９  バックライト照明装置（表示手段）
【図１】
0004306886.tif 000002
【図２】
0004306886.tif 000003
【図３】
0004306886.tif 000004
【図４】
0004306886.tif 000005
【図５】
0004306886.tif 000006
【図６】
0004306886.tif 000007
【図７】
0004306886.tif 000008
【図８】
0004306886.tif 000009
【図９】
0004306886.tif 000010
【図１０】
0004306886.tif 000011
【図１１】
0004306886.tif 000012
【図１２】
0004306886.tif 000013
【図１３】
0004306886.tif 000014
【図１４】
0004306886.tif 000015
【図１５】
0004306886.tif 000016
【図１６】
0004306886.tif 000017
【図１７】
0004306886.tif 000018
【図１８】
0004306886.tif 000019
【図１９】
0004306886.tif 000020
【図２０】
0004306886.tif 000021